(57)【要約】      （修正有）【課題】製作者の意図に基づいて、正確に時間管理を行いつつ再生することができると共に、静止画再生の途中でのサーチ動作等の検索動作が可能である等の変化に富んだ再生が可能な記録情報を記録できる。【解決手段】部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理手段と、前記処理部分記録情報と前記検索再生表示制御情報とを多重し、多重部分記録情報を出力する多重手段と、前記多重部分記録情報を前記情報記録媒体に記録する記録手段を備える。【選択図】図９
2006304326.tif 000002
【特許請求の範囲】
【請求項１】
部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理手段と、
前記処理部分記録情報と前記検索再生表示制御情報とを多重し、多重部分記録情報を出力する多重手段と、
前記多重部分記録情報を前記情報記録媒体に記録する記録手段と、
を備え、
前記記録情報は、静止画再生されるべき静止画情報を少なくとも含む映像情報と、副映像情報又は音声情報を含み、
前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、
前記多重部分記録情報は、
前記検索再生表示制御情報のみ、あるいは、
前記映像パック、前記副映像パック又は前記音声パックのうち少なくともいずれか一つと前記検索再生表示制御情報と、
のいずれか一方により構成されていることを特徴とする記録装置。
【請求項２】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項１に記載の記録装置。
【請求項３】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項１または２に記載の記録装置。
【請求項４】
部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理工程と、
前記処理部分記録情報と前記検索再生表示制御情報とを多重し、多重部分記録情報を出力する多重工程と、
前記多重部分記録情報を前記情報記録媒体に記録する記録工程と、
を備え、
前記記録情報は、静止画再生されるべき静止画情報を少なくとも含む映像情報と、副映像情報又は音声情報を含み、
前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、
前記多重部分記録情報は、
前記検索再生表示制御情報のみ、あるいは、
前記映像パック、前記副映像パック又は前記音声パックのうち少なくともいずれか一つと前記検索再生表示制御情報と、
のいずれか一方により構成されていることを特徴とする記録方法。
【請求項５】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項４に記載の記録方法。
【請求項６】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項４または５に記載の記録方法。
【請求項７】
部分記録情報に分割され、所定の信号処理が施された記録情報を含む処理部分記録情報と、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報からなる多重部分記録情報と、が記録された情報記録媒体であって、前記記録情報が、静止画再生されるべき静止画情報を少なくとも含む映像情報と、副映像情報又は音声情報を含み、前記映像情報が映像パック単位に、前記副映像情報が副映像パック単位に、前記音声情報声が音声パック単位に夫々分割して構成され、各パックがその再生単位毎に再生すべき再生時刻を示す時間情報を含むものであり、前記多重部分記録情報が、前記検索再生表示制御情報のみ、あるいは、前記映像パック、前記副映像パック又は前記音声パックのうち少なくともいずれか一つと前記検索再生表示制御情報と、のいずれか一方により構成されている多重部分記録情報を含む情報記録媒体から情報を再生する再生装置であって、
前記情報記録媒体から前記多重部分記録情報を検出すると共に復調し、復調信号を出力する検出復調手段と、
前記復調信号から、前記検索再生表示制御情報及び前記時間情報を抽出する抽出手段と、
前記抽出された検索再生表示制御情報及び時間情報に基づいて前記記録情報の再生を制御する制御手段と、
を備えたことを特徴とする再生装置。
【請求項８】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項７に記載の再生装置。
【請求項９】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項７または８に記載の再生装置。
【請求項１０】
部分記録情報に分割され、所定の信号処理が施された記録情報を含む処理部分記録情報と、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報からなる多重部分記録情報と、が記録された情報記録媒体であって、前記記録情報が、静止画再生されるべき静止画情報を少なくとも含む映像情報と、副映像情報又は音声情報を含み、前記映像情報が映像パック単位に、前記副映像情報が副映像パック単位に、前記音声情報声が音声パック単位に夫々分割して構成され、各パックがその再生単位毎に再生すべき再生時刻を示す時間情報を含むものであり、前記多重部分記録情報が、前記検索再生表示制御情報のみ、あるいは、前記映像パック、前記副映像パック又は前記音声パックのうち少なくともいずれか一つと前記検索再生表示制御情報と、のいずれか一方により構成されている多重部分記録情報を含む情報記録媒体から情報を再生する再生方法であって、
前記情報記録媒体から前記多重部分記録情報を検出すると共に復調し、復調信号を出力する検出復調工程と、
前記復調信号から、前記検索再生表示制御情報及び前記時間情報を抽出する抽出工程と、
前記抽出された検索再生表示制御情報及び時間情報に基づいて前記記録情報の再生を制御する制御工程と、
を備えたことを特徴とする再生方法。
【請求項１１】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項１０に記載の再生方法。
【請求項１２】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項１０または１１に記載の再生方法。
【請求項１３】
部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理手段と、
前記処理部分記録情報と前記検索再生表示制御情報とを多重し、多重部分記録情報を出力する多重手段と、
を備え、
前記記録情報は、静止画再生されるべき静止画情報を少なくとも含む映像情報と、副映像情報又は音声情報を含み、
前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、
前記多重部分記録情報は、
前記検索再生表示制御情報のみ、あるいは、
前記映像パック、前記副映像パック又は前記音声パックのうち少なくともいずれか一つと前記検索再生表示制御情報と、
のいずれか一方により構成されていることを特徴とする情報処理装置。
【請求項１４】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項１３に記載の情報処理装置。
【請求項１５】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項１３または１４に記載の情報処理装置。
【請求項１６】
部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理工程と、
前記処理部分記録情報と前記検索再生表示制御情報とを多重し、多重部分記録情報を出力する多重工程と、
を備え、
前記記録情報は、静止画再生されるべき静止画情報を少なくとも含む映像情報と、副映像情報又は音声情報を含み、
前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、
前記多重部分記録情報は、
前記検索再生表示制御情報のみ、あるいは、
前記映像パック、前記副映像パック又は前記音声パックのうち少なくともいずれか一つと前記検索再生表示制御情報と、
のいずれか一方により構成されていることを特徴とする情報処理方法。
【請求項１７】
前記副映像パック又は前記音声パックのうち少なくともいずれか一方に含まれる情報を再生すべき再生時刻は、当該副映像パック又は音声パックが含まれている前記多重部分記録情報、あるいは、他の前記多重部分記録情報のうち少なくともいずれか一方に対応することを特徴とする請求項１６に記載の情報処理方法。
【請求項１８】
前記再生表示制御情報に含まれる再生時間情報は、少なくとも当該再生表示制御情報が含まれている前記多重部分記録情報に含まれる前記部分記録情報の再生開始時刻を示す開始時間情報及び再生終了時刻を示す終了時間情報を含み、
前記映像パックの再生終了時刻までの再生時刻に対応する前記多重部分記録情報であって、当該映像パックが含まれている多重部分記録情報を除く多重部分記録情報は、映像パックを含まないことを特徴とする請求項１６または１７に記載の情報処理方法。
【発明の詳細な説明】
【技術分野】
【０００１】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、映像、音声等の記録情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【発明の開示】
【発明が解決しようとする課題】
【０００４】
しかしながら、上記ＬＤ等においては、例えば、視聴者が静止画再生の途中で所望の時間だけ先に跳んでサーチするといった検索動作等の変化に富んだ再生や、記録情報の製作者の意図に基づく静止画再生中における記録情報の最初からの経過時間を表示するといった時間管理を行いながらの再生ができないという問題点があった。
【０００５】
これは、上記記録情報の間に、当該記録情報の再生を制御するための時間情報や検索情報を含む再生制御情報が存在しないことによるものである。また、従来のＬＤ等においては、記録情報の製作者の意図に基づいて静止画再生させるときは、当該静止画再生すべき時間に対応する分だけ同じ静止画情報を複数記録しておくことが必要となる場合があり、その場合には、記録媒体の記録領域が有効に活用できず、従って、記録できる記録情報の量も制限されるという問題点もあった。
【０００６】
一方、現在、上記従来のＣＤに対して、光ディスク自体の大きさを変えずに記憶容量を約１０倍に向上させた光ディスクであるＤＶＤについての提案や開発が盛んであるが、上述のような、視聴者が静止画再生の途中で所望の時間だけ先に跳んでサーチするといった検索動作や、また、記録情報の製作者の意図に基づく静止画再生中における記録情報の最初からの経過時間を表示するといった時間管理を行いながらの再生については、未だ提案も開発もされておらず、更には静止画再生の途中でのサーチ動作や、静止画再生中における時間管理を行いながらの再生という課題自体が当業者の間で認識されていないのが現状である。
【０００７】
そこで、本発明は、上記の問題点に鑑みて成されたもので、その課題は、製作者の意図に基づいて、正確に時間管理を行いつつ再生することができると共に、静止画再生の途中でのサーチ動作等の検索動作が可能である等の変化に富んだ再生が可能な記録情報を記録でき、更に、記録媒体の記録領域を有効に活用してより多くの情報を記録することが可能な記録装置及び方法、情報処理装置及び方法を提供することにある。また、当該記録装置により情報が記録された情報記録媒体を提供すると共に、上記正確な時間管理を行いつつ再生すると共に、静止画再生の途中でのサーチ動作等の検索動作が可能で変化に富んだ再生ができる再生装置及び方法を提供することにある。
【課題を解決するための手段】
【０００８】
上記課題を解決するために、請求項１に記載の発明は、部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理手段と、前記処理部分記録情報と前記検索再生表示制御情報とを多重し、多重部分記録情報を出力する多重手段と、前記多重部分記録情報を前記情報記録媒体に記録する記録手段と、を備え、前記記録情報は、静止画再生されるべき静止画情報を少なくとも含む
映像情報と、副映像情報又は音声情報を含み、前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、前記多重部分記録情報は、前記検索再生表示制御情報のみ、あるいは、前記映像パック、前記副映像パック又は前記音声パックのうち少なくともいずれか一つと前記検索再生表示制御情報と、のいずれか一方により構成されていることを特徴とする。
【０００９】
請求項４に記載の発明は、部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理工程と、前記処理部分記録情報と前記検索再生表示制御情報とを多重し、多重部分記録情報を出力する多重工程と、前記多重部分記録情報を前記情報記録媒体に記録する記録工程と、を備え、前記記録情報は、静止画再生されるべき静止画情報を少なくとも含む映像情報と、副映像情報又は音声情報を含み、前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、前記多重部分記録情報は、前記検索再生表示制御情報のみ、あるいは、前記映像パック、前記副映像パック又は前記音声パックのうち少なくともいずれか一つと前記検索再生表示制御情報と、のいずれか一方により構成されていることを特徴とする。
【００１０】
請求項７に記載の発明は、部分記録情報に分割され、所定の信号処理が施された記録情報を含む処理部分記録情報と、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報からなる多重部分記録情報と、が記録された情報記録媒体であって、前記記録情報が、静止画再生されるべき静止画情報を少なくとも含む映像情報と、副映像情報又は音声情報を含み、前記映像情報が映像パック単位に、前記副映像情報が副映像パック単位に、前記音声情報声が音声パック単位に夫々分割して構成され、各パックがその再生単位毎に再生すべき再生時刻を示す時間情報を含むものであり、前記多重部分記録情報が、前記検索再生表示制御情報のみ、あるいは、前記映像パック、前記副映像パック又は前記音声パックのうち少なくともいずれか一つと前記検索再生表示制御情報と、のいずれか一方により構成されている多重部分記録情報を含む情報記録媒体から情報を再生する再生装置であって、前記情報記録媒体から前記多重部分記録情報を検出すると共に復調し、復調信号を出力する検出復調手段と、前記復調信号から、前記検索再生表示制御情報及び前記時間情報を抽出する抽出手段と、前記抽出された検索再生表示制御情報及び時間情報に基づいて前記記録情報の再生を制御する制御手段と、を備えたことを特徴とする。
【００１１】
請求項１０に記載の発明は、部分記録情報に分割され、所定の信号処理が施された記録情報を含む処理部分記録情報と、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報からなる多重部分記録情報と、が記録された情報記録媒体であって、前記記録情報が、静止画再生されるべき静止画情報を少なくとも含む映像情報と、副映像情報又は音声情報を含み、前記映像情報が映像パック単位に、前記副映像情報が副映像パック単位に、前記音声情報声が音声パック単位に夫々分割して構成され、各パックがその再生単位毎に再生すべき再生時刻を示す時間情報を含むものであり、前記多重部分記録情報が、前記検索再生表示制御情報のみ、あるいは、前記映像パック、前記副映像パック又は前記音声パックのうち少なくともいずれか一つと前記検索再生表示制御情報と、のいずれか一方により構成されている多重部分記録情報を含む情報記録媒体から情報を再生する再生方法であって、前記情報記録媒体から前記多重部分記録情報を検出すると共に復調し、復調信号を出力する検出復調工程と、前記復調信号から、前記検索再生表示制御情報及び前記時間情報を抽出する抽出工程と、前記抽出された検索再生表示制御情報及び時間情報に基づいて前記記録情報の再生を制御する制御工程と、を備えたことを特徴とする。
【００１２】
請求項１３に記載の発明は、部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理手段と、前記処理部分記録情報と前記検索再生表示制御情報とを多重し、多重部分記録情報を出力する多重手段と、を備え、前記記録情報は、静止画再生されるべき静止画情報を少なくとも含む映像情報と、副映像情報又は音声情報を含み、前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、前記多重部分記録情報は、前記検索再生表示制御情報のみ、あるいは、前記映像パック、前記副映像パック又は前記音声パックのうち少なくともいずれか一つと前記検索再生表示制御情報と、のいずれか一方により構成されていることを特徴とする。
【００１３】
請求項１６に記載の発明は、部分記録情報に分割され、所定の信号処理が施された記録情報を含む処理部分記録情報を出力すると共に、前記部分記録情報を再生すべき再生時刻を示す再生時間情報を少なくとも含む前記部分記録情報を再生するための再生表示制御情報を含み、且つ、再生すべき前記部分記録情報の情報記録媒体上の記録位置を検索するため検索情報を含む検索再生表示制御情報を生成して出力する信号処理工程と、前記処理部分記録情報と前記検索再生表示制御情報とを多重し、多重部分記録情報を出力する多重工程と、を備え、前記記録情報は、静止画再生されるべき静止画情報を少なくとも含む映像情報と、副映像情報又は音声情報を含み、前記映像情報は映像パック単位に、前記副映像情報は副映像パック単位に、前記音声情報声は音声パック単位に夫々分割して構成され、各パックにはその再生単位毎に再生すべき再生時刻を示す時間情報を含むものであり、前記多重部分記録情報は、前記検索再生表示制御情報のみ、あるいは、前記映像パック、前記副映像パック又は前記音声パックのうち少なくともいずれか一つと前記検索再生表示制御情報と、のいずれか一方により構成されていることを特徴とする。
【発明を実施するための最良の形態】
【００１４】
次に、本発明に好適な実施の形態について説明する。なお、以下に説明する実施の形態は、上記ＤＶＤに対して本発明を適用した実施の形態について説明するものである。
【００１５】
なお、以下の実施の形態においては、下記リストの左側に示した特許請求の範囲における各構成要素の一例が、下記リストの右側に示した要素から夫々構成されている。
【００１６】
部分記録情報……：ＶＯＢユニットを構成すべき信号処理前のビデオデータ
等の実体部分
処理部分記録情報：ＶＯＢユニットのうち、ナビパックパックを除いたビデ
オデータ等の実体部分
多重部分記録情報：ＶＯＢユニット
検索情報…………：ＤＳＩ（Data Search Information ）データ
検索再生制御情報：ナビパック
映像情報…………：ビデオデータ
副映像情報………：サブピクチャデータ
音声情報…………：オーディオデータ
【００１７】
（Ｉ）情報記録媒体の実施の形態
始めに、本願に対応する情報記録媒体の実施の一形態であるＤＶＤの物理的及び論理的な構成並びにその動作について、図１乃至図８を用いて説明する。
【００１８】
始めに、映像情報及び音声情報（音楽情報を含む。以下同じ）を含む記録情報のＤＶＤ上における記録フォーマット（物理的記録フォーマット）について、図１を用いて説明する。
【００１９】
図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video Title Set ）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語のセルフ等を有する複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００２０】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００２１】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）等の情報が記録される。また、各ＶＯＢ１０には、制御情報の他に映像情報及び音声情報の実体部分（制御情報以外の映像又は音声そのもの）が記録される。
【００２２】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００２３】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００２４】
そして、一のＶＯＢユニット３０は、ＶＯＢユニット３０に含まれているビデオデータ等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声は８種類であり、記録可能な副映像の種類は３２種類であることが規格上定められている。
【００２５】
また、一のＶＯＢユニット３０に対応する再生時間（一のナビパック４１と当該一のナビパック４１に隣接するナビパック４１との間に記録されているデータに対応する再生時間）は、０．４秒以上１秒以下の長さを有するように記録される。ここで、一のＶＯＢユニット３０に対応する再生時間を０．４秒以上とするのは、後述の再生装置におけるＰＣＩバッファの記憶容量を低減させるためであり、１秒以下とするのは、ＭＰＥＧ２方式の規格上定められているビデオデータ４２のデコード処理のための許容遅延時間が１秒とされているからである。従って、ナビパック４１は、再生時、０．４秒乃至１秒に１回は必ず検出されることとなる。
【００２６】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００２７】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。更に、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報が記録される。また、上記各パックＰについては、通常、当該パックＰを更に細分化した記録単位であるパケット毎にビデオデータ４２、オーディオデータ４３又はサブピクチャデータ４４が記録されるが、本実施の形態におけるＤＶＤ１では、一般に一のパックＰが一のパケットにより構成されている。
【００２８】
最後に、ナビパック４１は、再生表示させたい映像又は音声等を検索するための検索情報（具体的には、当該再生表示させたい映像又は音声等が記録されているＤＶＤ１上のアドレス等）であるＤＳＩデータ５１と、ＤＳＩデータ５１に基づいて検索してきた映像又は音声を表示する際の再生表示制御に関する情報であるＰＣＩデータ５０とにより構成される。このとき、ＤＳＩデータ５１及びＰＣＩデータ５０は、夫々パケットＰＴとしてのＤＳＩパケット及びＰＣＩパケットを構成して記録されることとなる。
【００２９】
更に、一のＶＯＢユニット３０に含まれている全てのビデオデータ４２は一又は複数のＧＯＰ（Group Of Picture）により構成されている。ＤＳＩデータ５１及びＰＣＩデータ５０については、後ほど詳述する。
【００３０】
また、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）等の設定が行われる。
【００３１】
ここで、メニュー画面を構成して表示するために必要な、枠、選択ボタン等を表示するための画像情報は、上記の副映像情報であるサブピクチャデータ４４として記録される。
【００３２】
更に、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位であり、各ＧＯＰの先頭には、当該ＧＯＰに含まれるビデオデータ４２を表示すべき再生時間軸上の再生時刻を示すＰＴＳ（Presentation Time Stamp）と呼ばれる再生表示時刻情報が記録される。
【００３３】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００３４】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。なお、本実施形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００３５】
以上説明した図１に示す階層構造の記録フォーマットにおいて、夫々の区分は、製作者がその意図に応じて自在に区分設定をして記録させるものである。これらの区分毎に後述の論理構造に基づいて再生することにより、変化に富んだ種々の再生が可能となるのである。
【００３６】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００３７】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part of Title）という。
【００３８】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【００３９】
ここで、一のセル２０の番号については、当該セル２０を図１に示す物理フォーマットにおいて取り扱う際にはセルＩＤ番号として扱われ（図１中、セルＩＤ＃と示す。）、図３に示す論理フォーマットにおいて取り扱う際には、後述のＰＧＣＩ中の記述順にセル番号として扱われる。
【００４０】
次に、複数のプログラム６０を組合わせて一のＰＧＣ（Program Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［（本実施形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００４１】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００４２】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００４３】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００４４】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示すＶＴＳ６３内に論理上含まれる全ての情報が一のＶＴＳ３として記録されていることとなる。
【００４５】
以上説明した論理フォーマットに基づいて、物理構造において区分された情報を製作者が指定することにより、視聴者が見るべきタイトル（映画等）が形成されるのである。
【００４６】
なお、図１に示す物理構造の説明においては、内容の理解の容易化のため、複数のセル２０がＩＤ番号の順に記録されているとして説明したが、実施形態のＤＶＤ１においては、実際には、一のセル２０が図４に示す複数のインターリーブドユニットＩＵに分割されて記録される場合がある。
【００４７】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏まって相互に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００４８】
そこで、図４に示す場合には、ＩＤ番号２のセル２０とＩＤ番号３のセル２０を、上述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００４９】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００５０】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００５１】
以上説明したような種々の階層の情報を記録する必要があるため、上述の記録フォーマットを有する情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【００５２】
次に、上記の物理構造及び論理構造を有する映像情報及び音声情報のうち、特に本発明に係るナビパック４１を構成するＰＣＩデータ５０及びＤＳＩデータ５１について、図５を用いて説明する。
【００５３】
ＤＳＩデータ５１には、上述のように、再生表示させたい情報を検索するための検索情報、より具体的には、再生表示させたい映像や音声若しくは副映像を上記ＶＯＢユニット３０の単位で検索するための情報及び上記シームレス再生を行うための情報並びに映像に同期した音声情報や副映像情報を検索するための情報等が記述される。
【００５４】
これらの情報を分類すると、以下のように分類される。
【００５５】
（１）視聴者から指定されたある動作の開始時点において、予め後述の再生装置における各構成部材のタイミングを設定するための情報
（２）後述の再生装置におけるピックアップの、図３に示す論理構造上のデータ区分に対応するＤＶＤ１上の位置を知るための情報
（３）再生表示しようとするデータのみを後述の再生装置におけるトラックバッファに書き込むための情報
（４）アクセス（検出）したいデータのＤＶＤ１上の記録位置（目標位置）を示す情報
（５）アクセスのためにデータをサーチした際、所望のデータのアドレスが検出できなかったときに他のデータ等を保護するための保護情報
次に、上記のように分類された情報が記録されるＤＳＩデータ５１内に、上記の夫々の情報が具体的にどのように記録されるかについて、図５（ａ）を用いて説明する。
【００５６】
図５（ａ）に示すように、ＤＳＩデータ５１は、具体的には、一のＤＳＩデータ５１内で共通に使用される一般情報と、シームレス再生のためのシームレス情報と、後述のアングル切り換え再生を行うためのアングル飛び先情報と、所望のＶＯＢユニット３０を検索するためのＶＯＢユニットサーチ情報と、当該ＤＳＩデータ５１が含まれているＶＯＢユニット３０と同期して再生表示すべきサブピクチャデータ４４又はオーディオデータ４３に関する情報である同期再生情報とにより構成される。
【００５７】
ここで、上記アングル飛び先情報が適用されるアングル切り換え再生について説明すると、本実施形態のＤＶＤ１には、例えば、一の映画（タイトル６２）について、同じ時間軸上の場面を複数の視点から見た映像情報を記録することが可能である。すなわち、より具体的には、一の映画について、それに出演している男優の視点からある情景を見た映像と、女優の視点から同じ情景を見た映像とを記録することが可能なのである。そして、これらの映像を、例えば視聴中の入力操作によって視聴者の選択により切り換えて再生することが可能であり、これをアングル切り換え再生という。
【００５８】
また、図５（ａ）に示す各情報について更に詳細に説明すると、一般情報としては、視聴者から指定されたある動作について、予め後述の再生装置における各構成部材の再生開始タイミングを設定するための時間情報（上記ＳＣＲ）と、図３に示す論理構造を構成するための各データのＤＶＤ１上の記録位置（論理アドレス）と、データサーチの際、所望のデータのアドレスが検出できなかったときに他のデータ等を保護するための保護情報と、再生装置におけるタイムサーチ動作のための時間情報（当該ＶＯＢユニット３０のセル２０内の再生時における経過時間情報）とが記録される。
【００５９】
また、シームレス情報としては、シームレス再生に必要な各データのＤＶＤ１上の記録位置（論理アドレス）と、シームレス再生において、各再生画面の接続のタイミングを予め設定するための時間情報とが記録される。
【００６０】
更に、アングル飛び先情報としては、アングルを切り換えるときシームレス（連続的）に切り換え再生を行うための再生すべきデータのＤＶＤ１上の記録位置を示すアドレス情報が記録されている。
【００６１】
また、ＶＯＢユニットサーチ情報としては、当該ＤＳＩデータ５１の近傍の所定の範囲に存在する他の再生すべきＶＯＢユニット３０（すなわち、他のナビパック４１）のＤＶＤ１上の記録位置を示すアドレス情報が記録されている。
【００６２】
最後に、同期再生情報としては、当該ＤＳＩデータ５１が含まれているＶＯＢユニット３０と同期して再生表示すべきサブピクチャデータ４４又はオーディオデータ４３のＤＶＤ１上の記録位置を示すアドレス情報が記録されている。
【００６３】
以上説明した各情報を含むＤＳＩデータ５１を用いることにより、後述の再生装置において、タイムサーチ動作（静止画再生中のタイムサーチ動作を含む。）等の処理が可能となるのである。
【００６４】
次に、本発明に係るＰＣＩデータ５０について説明する。ＰＣＩデータ５０には、上述のように、ＤＳＩデータ５１に基づいて検索してきた情報を再生表示する際の再生表示制御情報、すなわち、より具体的には、ＤＳＩデータ５１に基づいて検索してきたＶＯＢユニット３０内のビデオデータ４２、オーディオデータ４３及びサブピクチャデータ４４の再生状態に同期して表示内容を変更制御するための情報が記述される。
【００６５】
これらの情報を分類すると、以下のように分類される。
【００６６】
（１）実際に表示中の映像、音声及び副映像（サブピクチャ）についての再生表示制御情報
（２）各データの出力情報
（３）視聴者とのいわゆるユーザインターフェースに関する情報
次に、上記のように分類された情報が記録されるＰＣＩデータ５０内に、上記の夫々の情報が具体的にどのように記録されるかについて、図５（ｂ）を用いて説明する。
【００６７】
図５（ｂ）に示すように、ＰＣＩデータ５０は、具体的には、一のＰＣＩデータ５０内で共通に使用される一般情報と、非シームレスにアングル切り換え再生を行うためのアングル飛び先情報と、上述のハイライト情報とにより構成される。
【００６８】
ここで、非シームレスに行われるアングル切り換え再生について説明すると、上記ＤＳＩデータ５１に含まれるアングル飛び先情報は、アングル切り換え再生において、場面の切り換え時に映像が止ったり途切れたりしないシームレスのアングル切り換え再生に対して適用されるものであるが、上記ＰＣＩデータ５０内のアングル飛び先情報が適用される非シームレスアングル切り換え再生は、場面と場面の切り換わり時に画像が一時的に静止し、その静止している間にピックアップが次に再生すべき映像が記録されているＤＶＤ１上の記録位置にジャンプすることによりアングルを切り換えるアングル切り換え再生である。前述のシームレスアングル切り換え再生ではアングルを連続的に切り換えられる反面、アングル切り換えの連続性を保証するために所定のＤＶＤ１上の位置まで再生して後述の再生装置のトラックバッファを満たしてから切り換えるので、アングルの切り換え時に時間遅れが生じることがあるが、非シームレスアングル切り換え再生においては、アングルの切り換え時に一時的に映像が停止するものの、アングルの切り換えにおける時間遅れは生じないという特徴がある。
【００６９】
図５（ｂ）に示す各情報について更に説明すると、一般情報としては、当該ＰＣＩデータ５０が記録されているＶＯＢユニット３０の属性や当該ＶＯＢユニット３０の表示制御に関する情報、視聴者から指定されたある動作についての表示制御情報、ユーザインターフェースの許可又は禁止に関する情報、当該ナビパック４１が含まれているＶＯＢユニット３０内のビデオデータ４２、オーディオデータ４３及びサブピクチャデータ４４の再生時間軸上における再生表示開始時間情報及び再生表示終了時間情報、当該ＶＯＢユニット３０内のビデオデータ４２を静止画再生させる場合の再生時間軸上における静止画再生終了時刻情報及び当該ＶＯＢユニット３０のセル２０内の再生時における経過時間情報が記録される。
【００７０】
また、アングル飛び先情報としては、非シームレスにアングルを切り換えてアングル切り換え再生を行うための再生すべきデータのＤＶＤ１上の記録位置を示すアドレス情報が記録されている。
【００７１】
また、ハイライト情報としては、視聴者の選択のための各選択枝に対応してメニュー画面等で表示されている選択ボタンが有効に選択動作を行える有効期間（複数のＶＯＢユニット３０に渡って有効とされる場合があり、当該有効期間の始まりと終わりの時刻により定義される。）を示す有効期間情報と、視聴者の選択動作に基づいて、選択ボタンの色を変化させて表示するための色情報と、選択ボタンを表示するための位置を示す位置情報と、視聴者の選択動作に基づいて、上記選択ボタンが選択されたことを示すカーソルの移動操作が行われたときの移動先を示す移動情報と、夫々の選択ボタンに対応し、当該選択ボタンが選択されたときに実行されるべき動作を示すコマンド情報とが記録される。
【００７２】
このハイライト情報についてより詳細には、当該ハイライト情報において記述される情報は、サブピクチャデータ４４内に記録されているデータを用いて表示される選択ボタンに関するものであり、選択項目に対応する選択枝はビデオデータ４２（ＶＯＢユニット３０内に含まれている。）に基づいて表示されている映像に重ねて表示されることとなる。
【００７３】
従って、映像が更新された場合にも引続き選択ボタンを表示させ、それに対して選択された動作を有効とする期間を定める必要がある場合（すなわち、ハイライト情報に対応するＶＯＢユニット３０が表示されている時間と当該ハイライト情報に基づく選択ボタンの選択の有効期間が異なる場合）がある。そこで、本実施形態ではハイライト情報の中に選択ボタンが有効に選択動作を行える有効期間を示す有効期間情報を記憶するように構成し、図６に示すように、複数のＶＯＢユニット３０に跨がって一のハイライト情報を有効としているのである。
【００７４】
なお、上記のような映像から独立した情報を有するハイライト情報を活用するために、後述の再生装置においては、ＰＣＩデータ５０をデコードするデコーダにおいて当該ＰＣＩデータ５０からハイライト情報を分離し、これを専用のハイライトデコーダでデコードするようにしているのである。
【００７５】
以上説明した各情報を含むＰＣＩデータ５０を用いることにより、再生装置において、静止画再生、静止画再生中の記録情報の先頭からの経過時間表示、非シームレスアングル切り換え再生及びハイライト情報に対応するメニュー画面による選択動作等の処理が可能となるのである。
【００７６】
次に、記録情報として記録される上記ＶＯＢユニット３０（図１参照）の物理構造の種々の態様について、図７を用いて説明する。なお、図７において、「Ａｕｄｉｏ」はオーディオデータ４３を示し、「ＳＰ」はサブピクチャデータ４４を示し、「ＧＯＰ」はビデオデータ４２を示している。
【００７７】
図７に示すように、実施形態のＤＶＤ１に記録情報を記録する際には、ＶＯＢユニット３０の物理構造態様としては、以下の８つの形態が考えられる。
【００７８】
すなわち、始めに、第１態様は、動画としての一のＧＯＰ５２に相当するビデオデータ４２、オーディオデータ４３及びサブピクチャデータ４４の全てを含む場合（図７（ａ））であり、この場合には、動画としてビデオデータ４２を再生する際に対応する音声及び副映像が再生表示されることとなる。
【００７９】
第２態様は、動画としての複数のＧＯＰ５２に相当するビデオデータ４２、オーディオデータ４３及びサブピクチャデータ４４を含む場合（図７（ｂ））であり、この場合には、動画として複数のＧＯＰ５２が再生されると共に、図７（ａ）の場合と同様にこれらに対応する音声及び副映像が再生表示されることとなる。
【００８０】
第３態様は、動画としての一のＧＯＰ５２に相当するビデオデータ４２を再生した後、そのＧＯＰ５２の最後のフレーム画像を静止画再生すると共に、これらの動画及びそれに続く静止画に対応するオーディオデータ４３及びサブピクチャデータ４４を含む場合（図７（ｃ））であり、この場合には、動画として一のＧＯＰ５２が再生された後、その最終フレーム画像が静止画再生され、これらに対応する音声及び副映像が再生表示されることとなる。このとき、静止画再生に移行すべきビデオデータ４２の最後にはシーケンスエンドコードＳが記述され、このシーケンスエンドコードＳを検出したときには、後述の再生装置におけるビデオデータ４２のデコードを停止し、その最終フレーム画像のみを繰返し表示することとなる。
【００８１】
第４態様は、ビデオデータ４２を全く含まず、オーディオデータ４３及びサブピクチャデータ４４のみを含む場合（図７（ｄ））であり、この場合は、図７（ｄ）に示すＶＯＢユニット３０より前のＶＯＢユニット３０に含まれている静止画再生すべきビデオデータ４２に対応するフレーム画像を引続き再生すると共に、図７（ｄ）に示すＶＯＢユニット３０に含まれるオーディオデータ４３及びサブピクチャデータ４４を再生表示することとなる。このとき、ナビパック４１に含まれるＰＣＩデータ５０には、現在静止画再生されているビデオデータ４２の静止画再生を終了すべき静止画再生終了時刻情報が記述されている。
【００８２】
第５態様は、動画としての一のＧＯＰ５２に相当するビデオデータ４２と対応するサブピクチャデータ４４のみを含む場合（図７（ｅ））であり、この場合には、動画としてビデオデータ４２とサブピクチャデータ４４に対応する副映像のみが表示され、音声は出力されないか、又は図７（ｅ）に示すＶＯＢユニット３０より前のＶＯＢユニット３０に、図７（ｅ）に示すＶＯＢユニット３０に含まれるビデオデータ４２とサブピクチャデータ４４に対応するオーディオデータ４３が含まれていることとなる。
【００８３】
第６態様は、動画としての複数のＧＯＰ５２に相当するビデオデータ４２と対応するサブピクチャデータ４４のみを含む場合（図７（ｆ））であり、この場合には、動画としてビデオデータ４２とサブピクチャデータ４４に対応する副映像のみが表示され、図７（ｅ）の場合と同様に、音声は出力されないか、又は図７（ｆ）に示すＶＯＢユニット３０より前のＶＯＢユニット３０に、図７（ｆ）に示すＶＯＢユニット３０に含まれるビデオデータ４２とサブピクチャデータ４４に対応するオーディオデータ４３が含まれていることとなる。
【００８４】
第７態様は、動画としての一のＧＯＰ５２に相当するビデオデータ４２を再生した後、そのＧＯＰ５２の最後のフレーム画像を静止画再生すると共に、これらの動画及びそれに続く静止画に対応するサブピクチャデータ４４を含む場合（図７（ｇ））であり、この場合には、図７（ｃ）の場合と同様に、動画として一のＧＯＰ５２が再生された後、その最終フレーム画像が静止画再生され、これらに対応する副映像が表示されることとなる。
【００８５】
最後に第８態様は、ナビパック４１のみで一のＶＯＢユニット３０を構成する場合（図７（ｈ））である。この場合は、例えば、図７（ｈ）に示すＶＯＢユニット３０より前のＶＯＢユニット３０に音声及び副映像を伴わない静止画として再生すべきビデオデータ４２が記録され、その静止画再生時間内に図７（ｈ）に示すＶＯＢユニット３０（ナビパック４１）が存在する場合である。ここで、当該ナビパック４１には、静止画再生している画像の静止画再生終了時刻情報が含まれている。
【００８６】
なお、上記の各態様において、サブピクチャデータ４４を含むものについては、当該サブピクチャデータ４４を必ず含む必要はなく、サブピクチャデータ４４を含ませるか否かは製作者の任意で決定することができる。
【００８７】
以上説明した各態様のＶＯＢユニット３０を配置して記録情報の物理構造を構成した例を図８に示す。
【００８８】
先ず、図８（ａ）に示す場合では、最初のＶＯＢユニット３０以外のＶＯＢユニット３０には、ビデオデータ４２が含まれていない。従って、この場合は、最初のＶＯＢユニット３０における最後のビデオデータ４２Ａに対応する映像を表示した後、その最後のフレーム画像で静止画再生に移行し、その後のＶＯＢユニット３０に含まれるオーディオデータ４３及びサブピクチャデータ４４には、静止画再生しつつ再生表示すべき音声又は副映像が記録されていることとなる。
【００８９】
次に、図８（ｂ）に示す場合では、最初のＶＯＢユニット３０以外のＶＯＢユニット３０は、ナビパック４１のみにより構成されている。従って、この場合は、最初のＶＯＢユニット３０における最後のビデオデータ４２Ａに対応する映像を表示した後、その最後のフレーム画像で静止画再生に移行すると共に、対応するオーディオデータ４３Ａに含まれる音声情報及びサブピクチャデータ４４Ａに含まれる副映像をナビパック４１のみにより構成されているＶＯＢユニット３０が検出される間継続して再生表示することとなる。
【００９０】
なお、この静止画再生する時間の制御は、ナビパック４１のみにより構成されているＶＯＢユニット３０の個数及び夫々のナビパック４１内のＤＳＩデータ５１に記述されている上記ＳＣＲの値によって制御することができるが、この時間管理動作については、後述（図１３）する。
【００９１】
また、静止画再生のみを行って、音声及び副映像の再生表示を行わない場合も、図８（ｂ）に示すようなＶＯＢユニット３０の構成となる。次に、図９を用いて、ＤＶＤ１上に記録されている各データと夫々のデータの再生時間軸上の位置との関係について説明する。なお、図９において、符号（ａ）、（ｂ）、（ｃ）及び（ｄ）は、夫々、図７（ａ）、図７（ｂ）、図７（ｃ）及び図７（ｄ）で示されるＶＯＢユニット３０の形態に対応している。
【００９２】
図９に示すように、夫々のＶＯＢユニット３０に含まれているビデオデータ４２、オーディオデータ４３及びサブピクチャデータ４４は、対応するナビパック４１のＰＣＩデータ５０に記述されている再生表示開始時間情報及び再生表示終了時間情報並びに静止画再生終了時刻情報に基づいて夫々に対応する再生時間軸上の再生時刻において再生表示される。なお、図９においては、ビデオデータ４２Ａの最後にシーケンスエンドコードＳが記述されているので、当該ビデオデータ４２Ａに含まれる最後のＧＯＰ５２の最終フレーム画像から静止画再生が開始され、当該静止画再生が、ビデオデータ４２Ｂを再生するまで継続されることとなる。
【００９３】
ここで、オーディオデータ４３においては、ビデオデータ４２におけるＧＯＰに対応する再生単位であるオーディオフレーム毎に上述のＰＴＳが記述されており、更に、サブピクチャデータ４４においては、上記ＧＯＰに対応する再生単位であるＳＰＵ（Sub Picture Unit）毎に上述のＰＴＳが記述されている。そして、これらのＰＴＳに基づいて、各データを再生すべき再生時刻が検出されるのである。
【００９４】
（II）記録装置の実施形態
次に、上述の制御情報、映像情報及び音声情報をＤＶＤ１に記録するための本願に対応する記録装置の実施形態について、図１０を用いて説明する。
【００９５】
図１０に示すように、実施形態に係る記録装置Ｓ1 は、ＶＴＲ（Video Tape Recorder ）７０と、メモリ７１と、信号処理手段としての信号処理部７２と、ハードディスク装置７３及び７４と、多重手段としてのコントローラ７５と、多重手段としての多重器７６と、変調器７７と、記録手段としてのマスタリング装置７８とにより構成されている。
【００９６】
次に、動作を説明する。
【００９７】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。
【００９８】
信号処理部７２は、ＶＴＲ７０から出力された記録情報ＲをＡ／Ｄ変換した後、ＭＰＥＧ２方式を用いて圧縮処理し、音楽情報と映像情報とを時間軸多重して圧縮多重信号Ｓr として出力する。その後、出力された圧縮多重信号Ｓr は、ハードディスク装置７３に一時的に記憶される。
【００９９】
これらと並行して、メモリ７１は、上記記録情報Ｒの再生を制御するための制御情報（図１における、ビデオマネージャ２、コントロールデータ１１、ナビパック４１（ＰＣＩデータ５０及びＤＳＩデータ５１）等）が記載されたキューシートＳＴに基づき予め入力された当該制御情報を一時的に記憶し、信号処理部７２からの要求に基づいて制御情報信号Ｓi として出力する。この制御情報には、記録情報ＲをＶＯＢユニット３０に分割するための情報や、圧縮多重信号Ｓr のどの位置にナビパック４１を挿入するかを示す情報が含まれている。
【０１００】
そして、信号処理部７２は、ＶＴＲ７０から出力される上記記録情報Ｒに対応したタイムコードＴt 及びメモリ７１から出力される制御情報信号Ｓi に基づき、タイムコードＴt を参照して制御情報からＰＣＩデータ５０及びＤＳＩデータ５１を含むナビパック４１を分離し、対応するナビパック情報信号Ｓnav として出力し、当該ナビパック情報信号Ｓnav がハードディスク装置７４に一時的に記憶される。このとき、ナビパック４１以外の制御情報については、図１０においては図示を省略しているが、ナビパック４１と同様に信号処理部７２において夫々に分離され、ハードディスク装置７４に記憶される。
【０１０１】
以上の処理が記録情報Ｒ全体について実行される。
【０１０２】
記録情報Ｒの全てについて上記の処理が終了すると、コントローラ７５は、ハードディスク装置７３から圧縮多重信号Ｓr を読み出すとともにハードディスク装置７４からナビパック情報信号Ｓnav 並びにその他の制御情報を読み出し、これらに基づいて当該ナビパック４１並びにその他の制御信号を夫々独立に含む付加情報（ナビパック情報信号Ｓnav ）を生成し、ハードディスク装置７４に一時的に再記録する。これは、各制御情報の中には、圧縮多重信号Ｓr の生成結果によって、内容が定まるものがあるからである。
【０１０３】
一方、コントローラ７５は、上記信号処理部７２、ハードディスク装置７３及び７４の夫々の動作の時間管理を行い、ナビパック情報信号Ｓnav を含む付加情報信号Ｓa をハードディスク装置７４から読み出して出力すると共に、圧縮多重信号Ｓr と付加情報信号Ｓa を時間軸多重するための情報選択信号Ｓccを生成して出力する。
【０１０４】
その後、圧縮多重信号Ｓr （ビデオデータ４２、サブピクチャデータ４４及びオーディオデータ４３をストリーム毎に夫々含んでいる。）と付加情報信号Ｓaは、コントローラ７５からの情報選択信号Ｓccに基づき、ハードディスク装置７３又は７４から読み出され、多重器７６により時間軸多重されて情報付加圧縮多重信号Ｓapとして出力される。このとき、上述の各データ（ビデオデータ４２、オーディオデータ４３及びサブピクチャデータ４４）に対するＰＴＳの記述が並行して行われるとともに、ナビパック４１がＶＯＢユニット３０毎に挿入される。これにより、上記ナビパック４１が、再生時間軸上において０．４秒乃至１秒に必ず１回は検出されることとなる。
【０１０５】
そして、この情報付加圧縮多重信号Ｓapの段階では、記録すべき情報は、コントローラ７５の情報選択信号Ｓccを用いた切り換え動作によって制御情報と映像情報及び音声情報とが合成され、図１に示す物理構造（物理フォーマット）となっている。そして、ＰＣＩデータ５０及びＤＳＩデータ５１については、夫々独立してナビパック４１に含まれていることとなる。
【０１０６】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれることなる。
【０１０７】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【０１０８】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１０９】
以上説明したように、実施形態の記録装置Ｓ1 の動作によれば、時間情報を含むＰＣＩデータ５０を備えたナビパック４１がＶＯＢユニット３０毎に記録されることにより、再生時間軸上で０．４秒乃至１．０秒に必ず１回はナビパック４１が検出されることとなるので、記録情報Ｒの再生時において、ＶＯＢユニット３０に映像情報が含まれない静止画のみの再生等の場合であっても、正確に時間管理を行いつつ記録情報Ｒを再生することができる。
【０１１０】
また、上記ナビパック４１がＤＶＤ１上の再生すべきＶＯＢユニット３０の記録位置を検索するためＤＳＩデータ５１をも含むので、記録情報Ｒの再生時において、正確に再生すべきＶＯＢユニット３０の記録位置を迅速に検索して再生することができ、更に、静止画再生しつつ所望の時間経過後の記録情報を検索することも可能となる。
【０１１１】
更に、静止画を含むＶＯＢユニット３０に対応するＰＣＩデータ５０が当該静止画を再生すべき時間情報（静止画再生終了時刻情報）を含み、更に、静止画再生すべき再生時間内に含まれるＶＯＢユニット３０には、静止画のためのフレーム画像を記録する必要がなく、ビデオデータ４２を除くサブピクチャデータ４４及びオーディオデータ４３のうち少なくとも一方により構成したり、若しくはナビパック４１のみで一のＶＯＢユニット３０を構成することも可能であるので、ナビパック４１に含まれるＰＣＩデータ５０を用いて正確に静止画再生ができると共に、静止画再生する時間に相当する分のフレーム画像を記録する必要がなく、ＤＶＤ１上の記録領域を無駄なく有効に活用できる。
【０１１２】
（III）再生装置の実施形態
次に、上記の記録装置Ｓ1によりＤＶＤ１に記録された情報を再生するための本願に対応する再生装置の実施形態を、図１１乃至図１６を用いて説明する。
【０１１３】
始めに、図１１を用いて、実施形態の再生装置の構成及び動作について説明する。
【０１１４】
図１１に示すように、実施形態に係る再生装置Ｓ2 は、検出復調手段としてのピックアップ８０と、検出復調手段としての復調訂正部８１と、ストリームスイッチ８２及び８４と、トラックバッファ８３と、抽出手段としてのシステムバッファ８５と、抽出手段としてのデマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、制御手段としてのシステムコントローラ１００と、ドライブコントローラ１０１と、スピンドルモータ１０２と、スライダモータ１０３と、クロック生成部１０４と、バッファスイッチ１０５により構成されている。なお、図１１に示す構成は、再生装置Ｓ2 の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１１５】
次に、全体動作を説明する。
【０１１６】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１１７】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１１８】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１１９】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１２０】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【０１２１】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓc としてシステムコントローラ１００に出力すると共に、再生中に必要に応じてナビパック４１毎のＤＳＩデータ５１を一時的に蓄積し、システムコントローラ１００に制御情報Ｓc として出力する。
【０１２２】
ストリームスイッチ８４を介して復調信号Ｓdmが連続的に入力されたデマルチプレクサ８６においては、当該復調信号Ｓdmからビデオデータ４２、オーディオデータ４３、サブピクチャデータ４４及びナビパック４１毎のＰＣＩデータ５０を分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１２３】
また、デマルチプレクサ８６では、ビデオデータ４２、オーディオデータ４３、サブピクチャデータ４４の夫々のパックＰ（図１参照）からパックヘッダのみストリームスイッチ８４を介して検出し、当該パックヘッダに記述されているＳＣＲ（読み出し開始時刻情報）を読み出すと共に各データ毎のＰＴＳ（再生表示時刻情報）を読み出し、夫々を含む時間情報信号Ｓt をシステムコントローラ１００に出力する。
【０１２４】
ビデオ信号Ｓv が入力されるＶＢＶバッファ８７は、ＦＩＦＯメモリ等により構成され、ビデオ信号Ｓv を一時的に蓄積し、システムコントローラ１００からのスイッチ信号Ｓsw3 によって制御されるバッファスイッチ１０５を介してビデオデコーダ８８に出力する。ＶＢＶバッファ８７は、ＭＰＥＧ２方式により圧縮されているビデオ信号Ｓv における各ピクチャ（図２参照）毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。ＶＢＶバッファ８７の動作については、後ほど詳述する。
【０１２５】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する映像情報と同期して出力するためのものである。そして、映像情報との同期が取られた副映像信号Ｓspがサブピクチャデコーダ９０に入力され、復調が行われて復調副映像信号Ｓspd として混合器９１に出力される。
【０１２６】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１２７】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【０１２８】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、所望の情報へのアクセス直後の再生で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【０１２９】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０１３０】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記ハイライト制御信号Ｓchを出力することとなる。このとき、システムコントローラ１００は、復調ハイライト信号Ｓhid に含まれるハイライト情報の有効期間（図６参照）を示す有効期間情報に基づいて当該ハイライト情報に基づくメニュー画面等を用いた選択動作を有効とすべく、入力部９８からの入力信号Ｓinによる選択動作を受け付けると共に、上記ハイライト制御信号Ｓchを出力することとなる。
【０１３１】
システムコントローラ１００は、システムバッファ８５から入力される制御情報Ｓc 、デマルチプレクサ８６から入力される時間情報信号Ｓt 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 及びＳsw3 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。
【０１３２】
更に、システムコントローラ１００は、上記制御信号Ｓc 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【０１３３】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させる（図１１破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【０１３４】
最後に、クロック生成部１０４は、上記時間情報信号Ｓt に基づきシステムコントローラ１００から出力されるクロック初期化信号Ｓciにより初期化されると共に、再生装置Ｓ2 全体を統制するための再生基準クロックＴを含む基準クロック信号Ｓctを生成し、システムコントローラ１００に出力する。そして、システムコントローラ１００は、基準クロック信号Ｓctに基づいてスイッチ信号Ｓsw2及びＳsw3 、ストリーム選択信号Ｓlc、ポーズ信号Ｓca、ハイライト制御信号Ｓch及びシームレス制御信号Ｓcsl を出力する。
【０１３５】
次に、上記再生装置Ｓ2 の内、トラックバッファ８３の動作（特に、ナビパック４１に記述されている時間情報を用いた時間管理動作）について図１２及び図１３を用いて詳説する。
【０１３６】
始めに図１２を用いて、トラックバッファ８３の一般的な動作について説明する。なお、図１２はトラックバッファ８３における情報の書き込み及び読み出しの時間変化をトラックバッファ８３の使用量（バッファ占有量）との関係で示したものである。また、図１２において、符号Ｗr はトラックバッファ８３への書き込みレートであり、符号Ｒr はトラックバッファ５からの読み出しレートであり、一般に、
Ｗr ＞Ｒr
とされる。
【０１３７】
上述のように、トラックバッファ８３は、ＦＩＦＯメモリとして動作し、ＭＰＥＧ２方式における可変のデータレートを補償すると共に、シームレス再生等におけるトラックジャンプに起因して不連続に入力される復調信号Ｓdmを連続的に出力し、当該不連続による再生の中断を解消するためのものである。
【０１３８】
図１２において、最初にトラックバッファ８３への復調信号Ｓdmの書き込みを行うと（（イ））、トラックバッファ８３内のバッファ占有量は上昇していく。この書き込みは、スイッチ信号Ｓsw1 に基づき、ストリームスイッチ８２を閉成することにより行われる。
【０１３９】
そして、トラックバッファ８３が最大容量まで占有されると（（ロ）点）、トラックバッファ８３がオーバフローしないようにストリームスイッチ８２を開成して書き込みを一時的に中止し、ストリームスイッチ８４を閉成して読み出しを開始する。そして、バッファ占有量が、トラックバッファ８３におけるアンダーフロー（トラックバッファ８３が空になって復調信号Ｓdmの読み出しができなくなる状態）を防止すべく予め設定された占有量Ａまで低下すると、読み出しレートＲr での読み出しを継続しつつストリームスイッチ８２を閉成し、書き込みレートＷr での書き込みを再開する（（ハ）点）。これ以降のバッファ占有量の増加レートは、（Ｗr −Ｒr ）となる。
【０１４０】
そして、トラックバッファ８３が再び最大容量まで占有されると（（ニ）点）書き込みを一時的に中止し、読み出し（読み出しレートＲr ）のみを行う。以後は、この動作が繰返されることにより、トラックバッファ８３への書き込みは間欠的となるが、読み出しは連続して行われる。このとき、読み出しレートＲr は書き込みレートＷr より小さければ任意の値とすることができ、一定である必要がないので、ＭＰＥＧ２方式により可変レートで検出される復調信号Ｓdmの単位時間当たりのデータ量に対応して、単位時間当たりのデータ量が多いときには読み出しレートＲr を高くし、単位時間当たりのデータ量が少ないときには読み出しレートＲr を低くすることができる。
【０１４１】
また、データサーチのためにピックアップがトラックジャンプした場合に、トラックバッファ８３への書き込みが長時間停止しても（（ホ））、その占有量が零になる前に書き込みを開始すれば（（ヘ）点）、読み出しが中断することがない。
【０１４２】
なお、ここでは、データ読み出しの開始は、トラックバッファ８３が最大占有量になった後としたが、これに限らず、占有量が最大になる前に読み出しを開始してもよいし、書き込み開始と同時に読み出しを開始してもよい。
【０１４３】
以上のトラックバッファ８３の動作により、可変レート方式による記録情報Ｒに対応して、上記シームレス再生が可能となるのである。すなわち、断続的に書き込まれたデータをトラックバッファ８３により連続的に接続して出力することで、シームレス再生や可変レート方式に対応した再生が可能となるのである。
【０１４４】
また、以上のトラックバッファ８３の説明においては、データの読み出しは連続的で、読み出しレートＲr が変化するものとして説明したが、データの読み出しを所定の高レートＲh （Ｒh ＞（Ｒr の最大値））で間欠的に行い、実際にデータが読み出される期間の長さを制御することにより、可変レート方式に対応するようにしてもよい。この場合であっても、平均的に見れば、読み出しレートＲr を変化させて連続的にデータ読み出しが行われることと等価となる。このとき、間欠的に読み出されるデータの平滑化は、デマルチプレクサ８６の後段の各バッファで行われる。
【０１４５】
ここで、図１２からも明らかなように、トラックバッファ８３における一のデータの入力時刻と出力時刻の差、すなわち、トラックバッファ８３における遅延時間は、一定ではなく、読み出しレートＲr によっても大きく変化する。更に、所定のサーチ動作が行われても連続的にデータを出力するために、トラックバッファ８３自体のバッファ容量を大きくする必要がある。従って、遅延時間自体も必然的に長くなることになる。
【０１４６】
このとき、ＰＣＩデータ５０とＤＳＩデータ５１を分離せずに一体としてトラックバッファ８３への入力前で検出してこれに基づき制御したとすると、表示の制御に関して、実際に表されているデータ（トラックバッファ８３から出力されたデータ）とＰＣＩデータ５０とのタイミングを整合させることが、トラックバッファ８３における遅延時間が一定でないことにより困難となり、正しい表示制御が困難となる。一方、ＰＣＩデータ５０とＤＳＩデータ５１を一体としてトラックバッファ８３の出力後に検出し、これに基づき制御したとすると、データの検索に関し、検索のためのピックアップ８０の位置（当該ピックアップ８０は、トラックバッファ８３の遅延時間に相当する時間だけ先に移動してしまっている。）をＤＳＩデータ５１と対応づけることが、トラックバッファ８３における遅延時間が一定でないことにより困難となり、正しい検索制御ができなくなる。
【０１４７】
そこで、本実施形態では、ＰＣＩデータ５０とＤＳＩデータ５１を分離してナビパック４１として記録し、再生装置Ｓ2 においてトラックバッファ８３への復調信号Ｓdmの入力前にＤＳＩデータ５１を抽出して検索制御することによりピックアップ２のＤＶＤ１上の位置を把握しつつ検索制御することが可能となり、更に、トラックバッファ８３からの復調信号Ｓdmの出力後にＰＣＩデータ５１を抽出して表示制御することにより実際に表示されている映像、音声又は副映像に対応付けて表示制御することが可能となるのである。
【０１４８】
次に、図１３に示すフローチャートを用いて、トラックバッファ８３の読み出しにおけるナビパック４１に記述されている時間情報を用いた時間管理動作について、システムコントローラ１００における動作を中心として説明する。
【０１４９】
再生が開始されると、先ず、復調信号Ｓdmからナビパック４１を検出したか否かが、制御信号Ｓc に基づき判定される（ステップＳ１）。そして、検出されていないときには（ステップＳ１；ＮＯ）そのまま検出されるまで待機し、検出された場合には（ステップＳ１；ＹＥＳ）、次に、制御信号Ｓc から検出したナビパック４１に含まれているＤＳＩデータ５１に含まれるＳＣＲを読み出すと共に、当該ＤＳＩデータ５１に含まれるその他の情報を読み出す（ステップＳ２）。
【０１５０】
そして、クロック生成部１０４の初期化のために、システムコントローラ１００からステップＳ２において読み出したＳＣＲを含むクロック初期化信号Ｓciを出力して、クロック生成部１０４が生成する基準クロック信号Ｓctに含まれる再生基準クロックＴをステップＳ２において読み出したＳＣＲの値に設定する（ステップＳ３）。
【０１５１】
次に、ステップＳ１で検出したナビパック４１が含まれるＶＯＢユニット３０のデータ部（ビデオデータ４２、オーディオデータ４３又はサブピクチャデータ４４）の最初のパックＰのパックヘッダを検出したか否かがデマルチプレクサ８６からの時間情報信号Ｓt に基づいて判定され（ステップＳ４）、検出されないときは（ステップＳ４；ＮＯ）検出されるまで待機し、検出されたときは（ステップＳ４；ＹＥＳ）、検出されたパックヘッダに記述されているＳＣＲを時間情報信号Ｓt から読み出す（ステップＳ５）。
【０１５２】
次に、クロック生成部１０４が生成する再生基準クロックＴがステップＳ５で読み出したＳＣＲに等しくなったか否かが判定され（ステップＳ６）、等しくなっていないときは（ステップＳ６；ＮＯ）、再生基準クロックＴがステップＳ５で読み出したＳＣＲの値になるまで、当該ＳＣＲが含まれるパックＰのトラックバッファ８３からの読み出しを行わないで待機し、再生基準クロックＴがステップＳ５で読み出したＳＣＲに等しくなった場合には（ステップＳ６；ＹＥＳ）、スイッチ信号Ｓsw2 によりストリームスイッチ８４を閉として当該ＳＣＲが含まれるパックＰのトラックバッファ８３からの読み出しを開始し（ステップＳ７）、読み出したパックＰをデマルチプレクサ８６に入力してビデオデータ４２、オーディオデータ４３及びサブピクチャデータ４４に夫々分離する。
【０１５３】
そして、分離した各データを夫々のエレメンタリ（ここで、エレメンタリとは、ビデオ、オーディオ、サブピクチャ等の総称である。）のバッファ（ＶＢＶバッファ８７、サブピクチャバッファ８９、オーディオバッファ９２及びＰＣＩバッファ９４）のうちいずれかのバッファにパックＰ内のデータを書き込み（ステップＳ８）、次に再生をストップすべき入力信号Ｓinが入力部９８から入力されたか否かが判定され（ステップＳ９）、入力されていないときは（ステップＳ９；ＮＯ）、次のパックＰの読み出しを行うべくステップＳ４に戻り、入力されたときは（ステップＳ９；ＹＥＳ）処理を終了して再生を停止する。
【０１５４】
次に、各エレメンタリのバッファの動作（特に、パックヘッダに記述されている時間情報を用いた時間管理動作）を図１４に示すフローチャートを用いて説明する。
【０１５５】
図１４に示すように、各エレメンタリのバッファに対応するデータが入力されると、始めに、入力されたデータのパックＰのパックヘッダを読み出し（ステップＳ１０）、次に、当該パックに含まれるパケットのパケットヘッダを読み出す（ステップＳ１１）。
【０１５６】
パックヘッダ及びパケットヘッダを取得すると（ステップＳ１０及びＳ１１）、次にバッファに入力されたデータに記述されているＰＴＳを読み出す（ステップＳ１２）。そして、上記クロック生成部１０４が出力する再生基準クロックＴが夫々に読み出したＰＴＳに等しくなったか否かが判定され（ステップＳ１３）、読み出したＰＴＳに等しくないときは（ステップＳ１３；ＮＯ）等しくなるまで夫々のエレメンタリのバッファからのデータの読み出しを行わずに待機し、等しくなったら（ステップＳ１３；ＹＥＳ）、夫々のエレメンタリのバッファからのデータの読み出しを開始して夫々のエレメンタリのデコーダ（ビデオデコーダ８８、サブピクチャデコーダ９０、オーディオデコーダ９３及びＰＣＩデコーダ９５）でのデコード処理を開始する（ステップＳ１５）。このとき、ビデオ信号Ｓv については、再生基準クロックＴが夫々に読み出したＰＴＳに等しくなったら（ステップＳ１３；ＹＥＳ）、スイッチ信号Ｓsw3 を出力してバッファスイッチ１０５を閉としてビデオ信号Ｓv をビデオデコーダ８８に出力することとなる。
【０１５７】
そして、夫々のエレメンタリのデコーダでのデコード処理が終了すると（ステップＳ１５）、デコード結果としての復調ビデオ信号Ｓvd、復調副映像信号Ｓspd 、復調オーディオ信号Ｓadd 及びＰＣＩ情報信号Ｓpci を出力して映像及び副映像の表示並びに音声の再生を行う（ステップＳ１６）。
【０１５８】
その後、再生をストップすべき入力信号Ｓinが入力部９８から入力されたか否かが判定され（ステップＳ１７）、入力されていないときは（ステップＳ１７；ＮＯ）、次のパックＰのパケットヘッダの読み出しを行うべくステップＳ１０に戻り、入力されたときは（ステップＳ１７；ＹＥＳ）処理を終了して再生を停止する。
【０１５９】
以上の時間管理動作により、夫々のデータの同期が取られると共に、ビデオデータ４２が静止画再生すべきデータを含むときは、ＶＯＢユニット３０が、例えば図８（ａ）又は（ｂ）に示すような構成となることから、夫々のナビパック４１に記述されているＳＣＲにより正確な時間管理を行いつつ静止画再生を行うことができる。更に、上述（図１３参照）のように再生基準クロックＴがナビパック４１が検出される度にそこに記述されているＳＣＲにより更新されつつ再生されるので、静止画再生中の場合でも、例えば、タイトル６２の先頭からの再生経過時間を表示することができるのである。
【０１６０】
次に、各エレメンタリのバッファにおける動作を、ＶＢＶバッファの動作を代表として図１５を用いて説明する。なお、図１５においては、図１５下段に、ナビパックＡ４１から、夫々のデータがパックＰとして記録されているＤＶＤ１の状態を示している。ここで、ビデオデータ４２に対応するパックＰをビデオパック、オーディオデータ４３に対応するパックＰをオーディオパック、サブピクチャデータ４４に対応するパックＰをサブピクチャパックと称している。また、ビデオパックＡ４２からビデオパックＦ４２までの範囲内にあるビデオパックに含まれるビデオデータ４２により一のＧＯＰ５２を構成している。従って、ビデオパックＡ４２及びビデオパックＧ４２に夫々のＰＴＳが記述されている。更に、図１５上段は、夫々のパックＰに記述されているＳＣＲ及びＰＴＳに基づいたＶＢＶバッファ８７へのビデオ信号Ｓv の書き込み及びＶＢＶバッファ８７からの読み出しについて、それぞれに伴うＶＢＶバッファ８７内のデータ量の時間的変化と共に示したものである。
【０１６１】
図１５に示すように、ナビパックＡ４１が始めに検出されると、当該ナビパックＡ４１に含まれるＳＣＲでクロック生成部１０４が初期化される（図１３ステップＳ３参照）。そして、ナビパックＡ４１の次のデータであるビデオパックＡ４２のパックヘッダが検出されると（図１３ステップＳ４参照）、そこに記述されているＳＣＲ（図１５において、ＳＣＲ＝Ｔ2 ）を読み出し（図１３ステップＳ５参照）、当該ＳＣＲ（＝Ｔ2 ）となったタイミングでストリームスイッチ８４を閉としてトラックバッファ８３からのビデオパックＡ４２の読み出しを開始すると共に、デマルチプレクサ８６を介してＶＢＶバッファ８７にビデオパックＡ４２に含まれるビデオデータの書き込みを行う（（イ）、図１３ステップＳ７及びＳ８参照）。そして、ビデオパックＢ４２の書き込みが終了した時点で、ビデオパックＡ４２に記述されているＰＴＳ（ＰＴＳ＝Ｔ20（図１５では、Ｔ3 ＜Ｔ20＜Ｔ4 である。））になったら、バッファスイッチ１０５を閉として、一フレーム画像毎にビデオパックＡ４２のデータから読み出しを開始し（（ロ）、図１４ステップＳ１４参照）、ビデオデコーダ８８でのデコード処理を行う（図１４ステップＳ１５、Ｓ１６参照）。そして、タイミングＴ4 になったら、今度はビデオパックＣ４２のＶＢＶバッファ８７への書き込みを開始し（（ハ）、図１３ステップＳ７及びＳ８参照）、１フレーム画像に対応する時間が経過したらバッファスイッチ１０５を閉として読み出しを開始する（（ニ））。以後は、夫々のパックＰのパックヘッダに記述されているＳＣＲのタイミングでＶＢＶバッファ８７への書き込みを行って一フレーム画像に対応する時間が経過後に読み出しを行うことを繰返す。そして、夫々のパックヘッダに記述されているＰＴＳになったら夫々のＧＯＰ５２の表示を行うこととなる。
【０１６２】
なお、上記ＶＢＶバッファ８７以外のサブピクチャバッファ８９、オーディオバッファ９２においても同様の動作、すなわち、対応する夫々のパックＰのパックヘッダに記述されているＳＣＲのタイミングでトラックバッファ８３から読み出して夫々のバッファへの書き込みを行って一フレームに対応する時間が経過後に読み出しを行うことを繰返すと共に、夫々のパックヘッダに記述されているＰＴＳになったら夫々のデータの再生又は表示を行うこととなる。
【０１６３】
次に、一のＶＯＢユニット３０の長さを、再生時間軸上において０．４秒以上１秒以下としている理由について、これに対応するＰＣＩバッファ９４の動作と共に、図１６を用いて詳説する。
【０１６４】
上述のように、ＰＣＩバッファ９４は、ＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。
【０１６５】
従って、ＰＣＩバッファ９４では、当該ＰＣＩバッファ９４に入力されたＰＣＩ信号Ｓpcに含まれるＰＣＩデータ５０に対応するビデオ信号Ｓv 等のデコードが、図１１に示すビデオデコーダ８８、サブピクチャデコーダ９０及びオーディオデコーダ９３の夫々において終了するまでの間、入力されたＰＣＩデータ５０を保持し、ビデオ信号Ｓv 等のデコードが完了した時点で当該ＰＣＩデータ５０をＰＣＩデコーダ９５に出力する必要がある。このことから、ＰＣＩバッファ９４の記憶容量としては、上記ビデオ信号Ｓv 等のデコードが終了するまでの間に入力される全てのＰＣＩデータ５０を夫々個別に保持するだけの容量が必要となる。
【０１６６】
ところで、ビデオ信号Ｓv 等のデコードのための遅延時間は、上述のように最大でも１秒とされ、全てのデコードを１秒以内とすることが、ＭＰＥＧ２方式の規格上定められている。よって、上記ＰＣＩバッファ９４の最大容量も、１秒間に入力されるＰＣＩデータ５０を全て個別に（より具体的には、当該ＰＣＩデータ５０を格納しているパケット毎に）記憶できるだけの容量が必要となる。
【０１６７】
そこで、再生装置Ｓ2 においては、上述のように、一のナビパック４１と当該一のナビパック４１に隣接するナビパック４１との間に記録されているデータに対応する再生時間の下限値を０．４秒として、上記ビデオ信号Ｓv 等のデコード中にＰＣＩバッファ９４に入力されるＰＣＩデータ５０の数を最大で３個に制限している。このように設定すれば、図１６に示すように、ビデオ信号Ｓv 等のデコードに最大時間を要し、実際に出力されるデータが１秒遅れて出力されても、その間にＰＣＩバッファ９４に入力するＰＣＩデータ５０の数は３個（図１６において、符号ＰＣＩ１乃至ＰＣＩ３で示されるＰＣＩデータ５０）以下となり、従って、ＰＣＩバッファ９４の記憶容量も３個分のＰＣＩデータ５０に相当する記憶容量のみでよいこととなり、ＰＣＩバッファ９４を小型化して低コスト化することができるのである。
【０１６８】
以上説明したように、実施形態の再生装置Ｓ2 によれば、時間情報を含むＰＣＩデータ５０を備えたナビパック４１がＶＯＢユニット３０毎に再生されることにより、再生時間軸上で０．４秒乃至１．０秒に必ず１回はナビパック４１が検出されることとなるので、ＶＯＢユニット３０に映像情報が含まれない静止画のみの再生等の場合であっても、正確に時間管理を行いつつ記録情報Ｒを再生することができる。従って、静止画再生中であっても、タイトル６２の先頭からの再生経過時間を表示することも可能となる。
【０１６９】
また、上記ナビパック４１がＤＶＤ１上の再生すべきＶＯＢユニット３０の記録位置を検索するためＤＳＩデータ５１をも含むので、記録情報Ｒの再生時において、正確に再生すべきＶＯＢユニット３０の記録位置を迅速に検索して再生することができ、更に、静止画再生しつつ所望の時間経過後の記録情報を検索するタイムサーチ動作も可能となる。
【０１７０】
更に、記録情報Ｒに静止画を含むＶＯＢユニット３０に対応するＰＣＩデータ５０が当該静止画を再生すべき時間情報（静止画再生終了時刻情報）を含み、更に、静止画再生すべき再生時間内に含まれるＶＯＢユニット３０には、静止画のためのフレーム画像を記録する必要なく、ビデオデータ４２を除くサブピクチャデータ４４及びオーディオデータ４３のうち少なくとも一方により構成したり、若しくはナビパック４１のみで一のＶＯＢユニット３０を構成することも可能であるので、ナビパック４１に含まれるＰＣＩデータ５０を用いて正確に静止画再生ができると共に、静止画再生する時間に相当する分の静止画情報を記録する必要がなく、ＤＶＤ１上の記録領域を無駄なく有効に活用できる。
【０１７１】
なお、上記の各実施形態においては、ＭＰＥＧ２方式により可変レートで圧縮された情報をＤＶＤ１に記録する場合及びその再生について説明したが、これに限らず、再生時においてトラックバッファを使用するものであれば、情報の圧縮方法は固定レート方式であってもよく、圧縮の方式によらず種々の情報の記録及び再生について適用可能である。また、情報記録媒体の形態も上記ＤＶＤ１に限られるものではない。
【図面の簡単な説明】
【０１７２】
【図１】記録情報の物理的構造（物理フォーマット）を示す図である。
【図２】ＧＯＰを構成するフレーム画像を示す図である。
【図３】記録情報の論理的構造（論理フォーマット）を示す図である。
【図４】インターリーブドユニットの構造を示す図である。
【図５】ＰＣＩデータ及びＤＳＩデータに含まれる情報を説明する図であり、（ａ）はＤＳＩデータに含まれる情報を説明する図であり、（ｂ）はＰＣＩデータに含まれる情報を説明する図である。
【図６】ハイライト情報を説明する図である。
【図７】ＶＯＢユニットの構成態様の例を示す図であり、（ａ）は第１態様を示す図であり、（ｂ）は第２態様を示す図であり、（ｃ）は第３態様を示す図であり、（ｄ）は第４態様を示す図であり、（ｅ）は第５態様を示す図であり、（ｆ）は第６態様を示す図であり、（ｇ）は第７態様を示す図であり、（ｈ）は第８態様を示す図である。
【図８】複数のＶＯＢユニットを含むＤＶＤ上の記録態様の例を示す図であり、（ａ）は第１例を示す図であり、（ｂ）は第２例を示す図である。
【図９】ＶＯＢユニットを構成する各データと再生時間との関係を示す図である。
【図１０】記録装置の概要構成を示すブロック図である。
【図１１】再生装置の概要構成を示すブロック図である。
【図１２】トラックバッファの動作を示す図である。
【図１３】トラックバッファにおける時間管理動作を示すフローチャートである。
【図１４】各エレメンタリのバッファにおける時間管理動作を示すフローチャートである。
【図１５】ＶＢＶバッファにおける書き込み及び読み出しの時間変化とＤＶＤ上に記録されているデータとの関係を示す図である。
【図１６】ＰＣＩバッファの動作を示す図である。
【符号の説明】
【０１７３】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
５０…ＰＣＩデータ
５１…ＤＳＩデータ
５２…ＧＯＰ
６０…プログラム
６１、６１Ａ、６１Ｂ…ＰＧＣ
６２…タイトル
７０…ＶＴＲ
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９１…混合器
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
１０４…クロック生成部
１０５…バッファスイッチ
Ｂ…光ビーム
Ｓ…シーケンスエンドコード
Ｓ1 …記録装置
Ｓ2 …再生装置
ＳＴ…キューシート
Ｓr …圧縮多重信号
Ｓi …制御情報信号
Ｓa …付加情報信号
Ｓcc…情報選択信号
Ｓd …駆動信号
Ｓm …ディスク記録信号
Ｓnav …ナビパック情報信号
Ｓct…基準クロック信号
Ｓap…情報付加圧縮多重信号
Ｓp …検出信号
Ｓdm…復調信号
Ｓsw1 、Ｓsw2 、Ｓsw3 …スイッチ信号
Ｓin…入力信号
Ｓdp…表示信号
Ｓcsl …シームレス制御信号
Ｓc …制御信号
Ｓlc…ストリーム選択信号
Ｓca…ポーズ信号
Ｓch…ハイライト制御信号
Ｓhi…ハイライト信号
Ｓpc…ＰＣＩ信号
Ｓad…オーディオ信号
Ｓsp…副映像信号
Ｓv …ビデオ信号
Ｓvd…復調ビデオ信号
Ｓspd …復調副映像信号
Ｓadd …復調オーディオ信号
Ｓvp…映像信号
Ｓhid …復調ハイライト信号
Ｓci…クロック初期化信号
Ｓt …時間情報信号
Ｔt …タイムコード
Ｒ…記録情報
【図１】
2006304326.tif 000003
【図２】
2006304326.tif 000004
【図３】
2006304326.tif 000005
【図４】
2006304326.tif 000006
【図５】
2006304326.tif 000007
【図６】
2006304326.tif 000008
【図７】
2006304326.tif 000009
【図８】
2006304326.tif 000010
【図９】
2006304326.tif 000011
【図１０】
2006304326.tif 000012
【図１１】
2006304326.tif 000013
【図１２】
2006304326.tif 000014
【図１３】
2006304326.tif 000015
【図１４】
2006304326.tif 000016
【図１５】
2006304326.tif 000017
【図１６】
2006304326.tif 000018